(57)【要約】【課題】体の一部分にガーメントの適用を容易にするためのグリップを有する圧迫ガーメントを提供する。【解決手段】体の一部分に対する圧迫治療を提供するための圧迫ガーメント。ガーメントは、柔軟なラップと、体の一部分を圧迫するために、ラップによって保持される嚢とを含む。ガーメントはまた、自己保持構成において体の一部分上にラップを保持するためのファスナを含む。グリップが、体の一部分上にラップを締め付けることを容易にするために提供される。一実施形態において、グリップは、ユーザーの指を受け取るための大きさおよび形状を有するラップの開口部を含む。【選択図】図１
2012071130.tif 000002
【特許請求の範囲】
【請求項１】
体の一部分に対する圧迫治療を提供するために、該体の一部分上に配置するために適合された圧迫ガーメントであって、該圧迫ガーメントは、
該体の一部分の近位部分の周りを巻くための大きさを有する近位端と、該近位端の反対側の、該体の一部分の遠位部分の周りを巻くための遠位端と、該近位端と該遠位端との間に延在する横側部エッジとを有する柔軟なラップと、
該体の一部分を圧迫するために、該ラップによって保持される嚢であって、該嚢は、膨張可能なチャンバと、該チャンバと流体連結しているポートとを有し、該ポートは、該チャンバを膨張させて、該体の一部分を圧迫するために、流体ソースから該チャンバに流体を選択的に送達する、嚢と、
フラップを規定する該側部エッジのうちの少なくとも１つであって、該フラップは、自己保持構成において該体の一部分上にラップを保持するための自由端を有し、該自己保持構成において、該近位端が、該体の一部分の該近位部分の周りに巻かれ、該遠位端が、該体の一部分の該遠位部分の周りに巻かれ、該横側部エッジが、該近位端と該遠位端との間において該体の一部分に沿って概ね長手方向に延在する、該側部エッジのうちの少なくとも１つと、
該ラップ上のファスナであって、該ラップ上のファスナは、該自己保持構成において該体の一部分上に該ラップを保持するために、該圧迫ガーメント上に該フラップの該自由端を固定する、該ラップ上のファスナと、
該フラップの反対側の該側部エッジ上に形成されたグリップであって、該グリップは、該体の一部分上に該ラップを保持するために、該体の一部分の周りに該ラップを巻き、該圧迫ガーメント上に該フラップの該自由端を保持するための該ファスナを締め付ける場合に、それぞれの側部エッジを握るためのものであり、該グリップは、該フラップに対して長手方向にオフセットされるように該ラップ上に位置決定され、該グリップの上にフラップを覆うことなしに、該フラップが該グリップを有する該側部エッジの上に締め付けられることを可能にする、グリップと
を含む、圧迫ガーメント。
【請求項２】
前記グリップは、前記体の一部分上に前記ラップを保持するために、ユーザーの指を受け取るための大きさおよび形状を有する該ラップの開口部を含む、請求項１に記載の圧迫ガーメント。
【請求項３】
前記開口部は、前記ラップを完全に通って延在する孔を含む、請求項２に記載の圧迫ガーメント。
【請求項４】
前記グリップは、前記ラップにおいて少なくとも２つの開口部を含み、各開口部は、前記体の一部分上に該ラップを保持するために、ユーザーのそれぞれの指を受け取るための大きさおよび形状を有し、
該開口部は、前記フラップに対して長手方向にオフセットされ、かつ該２つの開口部の間に該フラップを受け取るために、十分な距離分、互いから間隔を空けられている、請求項１に記載の圧迫ガーメント。
【請求項５】
前記ファスナの少なくとも一部分は、前記フラップに取り付けられている、請求項１〜４のいずれか一項に記載の圧迫ガーメント。
【請求項６】
前記ファスナは、二部分ファスナであり、該ファスナの第１の部分は、前記フラップに取り付けられ、該ファスナの第２の部分は、前記グリップに隣接して前記ラップに取り付けられ、該グリップは、該グリップ上に該フラップを覆うことなしに、該ファスナの該第１の部分が該ファスナの該第２の部分に締め付けられることを可能にする、請求項１〜５のいずれか一項に記載の圧迫ガーメント。
【請求項７】
前記フラップは、第１のフラップであり、前記ガーメントは、該第１のフラップから第１の距離分、遠位に間隔を空けられた第２のフラップと、該第２のフラップから第２の距離分、遠位に間隔を空けられた第３のフラップとをさらに含み、
前記ファスナは、第１のファスナであり、該ガーメントは、第２のファスナと第３のファスナとをさらに含み、該第２のファスナの少なくとも一部分が、該第２のフラップに取り付けられ、該第３のファスナの少なくとも一部分が、該第３のフラップに取り付けられている、請求項５に記載の圧迫ガーメント。
【請求項８】
前記グリップは、第１のグリップであり、前記ガーメントは、該第１のグリップから第１の距離分、遠位に間隔を空けられた第２のグリップと、該第２のグリップから第２の距離分、遠位に間隔を空けられた第３のグリップとをさらに含む、請求項１〜７のいずれか一項に記載の圧迫ガーメント。
【請求項９】
体の一部分に対する圧迫治療を提供するために、該体の一部分上に配置するために適合された圧迫ガーメントであって、該圧迫ガーメントは、
該体の一部分の近位部分の周りを巻くための大きさを有する近位端と、該近位端の反対側の、該体の一部分の遠位部分の周りを巻くための遠位端と、該近位端と該遠位端との間に延在する横側部エッジとを有する柔軟なラップと、
該体の一部分を圧迫するために、該ラップによって保持される嚢であって、該嚢は、膨張可能なチャンバと、該チャンバと流体連結しているポートとを有し、該ポートは、該チャンバを膨張させて、該体の一部分を圧迫するために、流体ソースから該チャンバに流体を選択的に送達する、嚢と、
フラップを規定する該側部エッジのうちの少なくとも１つであって、該フラップは、自己保持構成において該体の一部分上にラップを保持するための自由端を有し、該自己保持構成において、該近位端が、該体の一部分の該近位部分の周りに巻かれ、該遠位端が、該体の一部分の該遠位部分の周りに巻かれ、該横側部エッジが、該近位端と該遠位端との間において該体の一部分に沿って概ね長手方向に延在する、該側部エッジのうちの少なくとも１つと、
該ラップ上のファスナであって、該ラップ上のファスナは、該自己保持構成において該体の一部分上に該ラップを保持するために、該圧迫ガーメント上に該フラップの該自由端を固定する、該ラップ上のファスナと、
該フラップの反対側の該ラップの該側部エッジに隣接する該ラップの縁において該ラップを完全に通って延在する孔であって、該孔は、該体の一部分上に該ラップを保持するために、該体の一部分の周りに該ラップを巻き、該フラップを締め付ける場合に、それぞれの側部エッジを握るためにユーザーの指を受け取るための大きさおよび形状を有する、孔と
を含む、圧迫ガーメント。
【請求項１０】
前記孔は、第１の孔であり、
前記ガーメントは、前記体の一部分上に前記ラップを保持するために、ユーザーの指を受け取るための大きさおよび形状を有する第２の孔を含み、
該第１の孔および該第２の孔は、前記フラップに対して長手方向にオフセットされ、かつ、該第１の孔と該第２の孔との間に該フラップを受け取るために、十分な距離分、互いから間隔を空けられている、請求項９に記載の圧迫ガーメント。
【請求項１１】
前記ファスナの少なくとも一部分が、前記フラップに取り付けられている、請求項９または１０に記載の圧迫ガーメント。
【請求項１２】
前記ファスナは、二部分ファスナであり、該ファスナの第１の部分は、前記フラップに取り付けられ、該ファスナの第２の部分は、前記孔に隣接して前記ラップに取り付けられ、該孔は、該ファスナの該第１の部分が、該ファスナの該第２の部分に締め付けられることを可能にする、請求項９〜１１のいずれか一項に記載の圧迫ガーメント。
【請求項１３】
体の一部分に対する圧迫治療を提供するために、該体の一部分上に圧迫ガーメントを配置する方法であって、該圧迫ガーメントは、膨張可能なチャンバと、ポートとを有する嚢を含み、該ポートは、該膨張可能なチャンバとの流体連結を提供し、該方法は、
該圧迫ガーメントの第１の側部の縁が該圧迫ガーメントの第２の側部の縁と重なるように、該体の一部分の周りに該圧迫ガーメントを巻くことと、
該第２の側部の縁を握るために、該第２の側部の縁の第１の開口部内に第１の指を挿入することと、
該体の一部分の周りに該圧迫ガーメントを締め付けるために、該第１の側部の縁を握っている間に、該第１の側部の縁と該第２の側部の縁とのうちの少なくとも１つを引っ張ることと、
該体の一部分の周りに該締め付けられた圧迫ガーメントを固定することと
を含む、方法。
【請求項１４】
前記巻くステップは、前記第１の側部の縁によって規定されるフラップを前記第２の側部の縁上に覆うことを含み、
前記引っ張るステップは、前記体の一部分の周りに前記圧迫ガーメントを締め付けるために、該１の側部の縁を握る間に、該第２の側部の縁を横切って該フラップを引っ張ることを含む、請求項１３に記載の方法。
【請求項１５】
前記第２の側部の縁を握るために、第２の開口部内に第２の指を挿入することをさらに含み、前記引っ張るステップは、前記第１指と該第２の指とがそれぞれの開口部内に挿入されている場合に、該第１指と該第２の指との間に前記フラップを引っ張ることを含む、請求項１３または１４に記載の方法。
【発明の詳細な説明】
【技術分野】
【０００１】
（技術分野）
本発明は、概して、圧迫ガーメントに関し、より具体的には、体の一部分にガーメントの適用を容易にするためのグリップを有する圧迫ガーメントに関する。
【背景技術】
【０００２】
（本発明の背景）
一般的に動かない患者およびそのような人にとって主要な心配は、深部静脈血栓症（ＤＶＴ）および末梢浮腫のような血液凝固を形成する医学状況である。このような患者および人は、外科手術、麻酔、長期の床上安静等を受ける人たちを含む。これらの血液凝固の状況は、概して、より低い末端および／または骨盤の深部静脈において発生する。腸骨、大腿、膝窩、および脛骨のようなこれらの静脈は、心臓に脱酸素化血液を還流する。例えば、病気、怪我または不活性のために、これらの静脈において血液循環が遅れるとき、血液が蓄積し、またはたまる傾向がある。血液の静的たまりは、血液凝固の形成を引き起こし得、血液凝固の形成は、心臓血管の循環を妨害し得る。より重大には、血液凝固のフラグメントは、壊れ得、そして移転し得る。生命を脅かし得る肺塞栓症は、主肺動脈を封鎖する可能性のあるフラグメントから生じ得る。本発明はまた、リンパ水腫のような他の状況の処置に適用され得る。
【０００３】
従来の血管圧迫システムは、圧迫ガーメントを含み、圧迫ガーメントは、圧迫ガーメントを周期的に膨張させるためのコントローラに流動的に接続されている。圧迫ガーメントの周期的な膨張は、血液循環を増大し、そしてＤＶＴの可能性を減少する。導管のシステムは、圧迫ガーメントをコントローラに接続する。より新しい血管圧迫ガーメントは、ポータブルなコントローラを有し、ポータブルなコントローラは、患者がまず圧迫ガーメントを取り外し、または圧迫ガーメントをコントローラから切断する必要なく、ほぼ自由に移動し得るように、かなり小さくなり、圧迫ガーメントにさえ取り付け可能である。これらの新しい圧迫ガーメントは、患者が静止しているまたは歩行しているときに着用され得、そして使用の便利のために患者のコンプライアンスを増大し得る。
【発明の概要】
【発明が解決しようとする課題】
【０００４】
体の一部分（例えば、足のような四肢）に断続的な圧迫治療を適用するための能動的圧迫ガーメントは、ＤＶＴ予防、水腫防止、および傷癒合を支援することを含む多くの用途を有する。このような圧迫ガーメントの性能は、ガーメントの最初の適合または締め付け、その適合および締め付けを保持するためのガーメントの能力、および体の部分の周りにそれらの本来の位置を保持するための膨張可能な嚢の能力に敏感である。このことは、圧迫ガーメントが、歩き、座り、立ち、および転がりのような移動の間およびその後に使われるときに、非常に難しくあり得る。ガーメントは、体の部分から滑り落ちる傾向があり、対応する体の部分との膨張可能な嚢の整列不良を引き起こし、このことは、結果として効果のない圧迫治療および／または不快をもたらし得る。本発明は、適用された圧迫治療を向上させるための望ましい適合性を得るために、体の一部分に対するガーメントの適用を容易にすることを対象にする。
【課題を解決するための手段】
【０００５】
（本発明の要約）
本発明の一局面は、体の一部分に対する圧迫治療を提供するために、体の一部分上に配置するために適合された圧迫ガーメントを対象にする。圧迫ガーメントは、体の一部分の近位部分の周りを巻くための大きさを有する近位端と、近位端の反対側の、体の一部分の遠位部分の周りを巻くための遠位端と、近位端と遠位端との間に延在する横側部エッジとを有する柔軟なラップを含む。嚢は、体の一部分を圧迫するために、ラップによって保持される。嚢は、膨張可能なチャンバと、チャンバと流体連結しているポートとを有し、ポートは、チャンバを膨張させて、体の一部分を圧迫するために、流体ソースからチャンバに流体を選択的に送達する。側部エッジのうちの少なくとも１つは、フラップを規定する。フラップは、自己保持構成において体の一部分上にラップを保持するための自由端を有し、自己保持構成において、近位端が、体の一部分の近位部分の周りに巻かれ、遠位端が、体の一部分の遠位部分の周りに巻かれ、横側部エッジが、近位端と遠位端との間において体の一部分に沿って概ね長手方向に延在する。ラップ上のファスナは、自己保持構成において体の一部分上にラップを保持するために、圧迫ガーメント上にフラップの自由端を固定する。グリップは、フラップの反対側の側部エッジ上に形成され、グリップは、体の一部分上にラップを保持するために、体の一部分の周りにラップを巻き、圧迫ガーメント上にフラップの自由端を保持するためのファスナを締め付ける場合に、それぞれの側部エッジを握るためのものである。グリップは、フラップに対して長手方向にオフセットされるようにラップ上に位置決定され、グリップの上にフラップを覆うことなしに、フラップがグリップを有する側部エッジの上に締め付けられることを可能にする。
【０００６】
本発明のもう１つの局面は、体の一部分に対する圧迫治療を提供するために、体の一部分上に配置するために適合された圧迫ガーメントを対象にする。圧迫ガーメントは、体の一部分の近位部分の周りを巻くための大きさを有する近位端と、近位端の反対側の、体の一部分の遠位部分の周りを巻くための遠位端と、近位端と遠位端との間に延在する横側部エッジとを有する柔軟なラップを含む。嚢は、体の一部分を圧迫するために、ラップによって保持される。嚢は、膨張可能なチャンバと、チャンバと流体連結しているポートとを有し、ポートは、チャンバを膨張させて、体の一部分を圧迫するために、流体ソースからチャンバに流体を選択的に送達する。側部エッジのうちの少なくとも１つは、フラップを規定する。フラップは、自己保持構成において体の一部分上にラップを保持するための自由端を有し、自己保持構成において、近位端が、体の一部分の近位部分の周りに巻かれ、遠位端が、体の一部分の遠位部分の周りに巻かれ、横側部エッジが、近位端と遠位端との間において体の一部分に沿って概ね長手方向に延在する。ラップ上のファスナは、自己保持構成において体の一部分上にラップを保持するために、圧迫ガーメント上にフラップの自由端を固定する。孔は、フラップの反対側のラップの側部エッジに隣接するラップの縁においてラップを完全に通って延在する。孔は、体の一部分上にラップを保持するために、体の一部分の周りにラップを巻き、フラップを締め付ける場合に、それぞれの側部エッジを握るためにユーザーの指を受け取るための大きさおよび形状を有する。
【０００７】
本発明のもう１つの局面は、体の一部分に対する圧迫治療を提供するために、体の一部分上に圧迫ガーメントを配置する方法を対象にする。圧迫ガーメントは、膨張可能なチャンバと、ポートとを有する嚢を含み、ポートは、膨張可能なチャンバとの流体連結を提供する。方法は、圧迫ガーメントの第１の側部の縁が圧迫ガーメントの第２の側部の縁と重なるように、体の一部分の周りに圧迫ガーメントを巻くことと、第２の側部の縁を握るために、第２の側部の縁の第１の開口部内に第１の指を挿入することとを含む。方法は、体の一部分の周りに圧迫ガーメントを締め付けるために、第１の側部の縁を握っている間に、第１の側部の縁と第２の側部の縁とのうちの少なくとも１つを引っ張ることと、体の一部分の周りに締め付けられた圧迫ガーメントを固定することとをさらに含む。
【０００８】
他の目的および特徴は、これ以後、一部は明白であり、一部は指摘される。
【０００９】
本発明は、例えば、以下の項目を提供する。
（項目１）  体の一部分に対する圧迫治療を提供するために、該体の一部分上に配置するために適合された圧迫ガーメントであって、該圧迫ガーメントは、
該体の一部分の近位部分の周りを巻くための大きさを有する近位端と、該近位端の反対側の、該体の一部分の遠位部分の周りを巻くための遠位端と、該近位端と該遠位端との間に延在する横側部エッジとを有する柔軟なラップと、
該体の一部分を圧迫するために、該ラップによって保持される嚢であって、該嚢は、膨張可能なチャンバと、該チャンバと流体連結しているポートとを有し、該ポートは、該チャンバを膨張させて、該体の一部分を圧迫するために、流体ソースから該チャンバに流体を選択的に送達する、嚢と、
フラップを規定する該側部エッジのうちの少なくとも１つであって、該フラップは、自己保持構成において該体の一部分上にラップを保持するための自由端を有し、該自己保持構成において、該近位端が、該体の一部分の該近位部分の周りに巻かれ、該遠位端が、該体の一部分の該遠位部分の周りに巻かれ、該横側部エッジが、該近位端と該遠位端との間において該体の一部分に沿って概ね長手方向に延在する、該側部エッジのうちの少なくとも１つと、
該ラップ上のファスナであって、該ラップ上のファスナは、該自己保持構成において該体の一部分上に該ラップを保持するために、該圧迫ガーメント上に該フラップの該自由端を固定する、該ラップ上のファスナと、
該フラップの反対側の該側部エッジ上に形成されたグリップであって、該グリップは、該体の一部分上に該ラップを保持するために、該体の一部分の周りに該ラップを巻き、該圧迫ガーメント上に該フラップの該自由端を保持するための該ファスナを締め付ける場合に、それぞれの側部エッジを握るためのものであり、該グリップは、該フラップに対して長手方向にオフセットされるように該ラップ上に位置決定され、該グリップの上にフラップを覆うことなしに、該フラップが該グリップを有する該側部エッジの上に締め付けられることを可能にする、グリップと
を含む、圧迫ガーメント。
（項目２）  上記グリップは、上記体の一部分上に上記ラップを保持するために、ユーザーの指を受け取るための大きさおよび形状を有する該ラップの開口部を含む、上記項目のいずれかに記載の圧迫ガーメント。
（項目３）  上記開口部は、上記ラップを完全に通って延在する孔を含む、上記項目のいずれかに記載の圧迫ガーメント。
（項目４）  上記グリップは、上記ラップにおいて少なくとも２つの開口部を含み、各開口部は、上記体の一部分上に該ラップを保持するために、ユーザーのそれぞれの指を受け取るための大きさおよび形状を有し、
該開口部は、上記フラップに対して長手方向にオフセットされ、かつ該２つの開口部の間に該フラップを受け取るために、十分な距離分、互いから間隔を空けられている、上記項目のいずれかに記載の圧迫ガーメント。
（項目５）  上記ファスナの少なくとも一部分は、上記フラップに取り付けられている、上記項目のいずれかに記載の圧迫ガーメント。
（項目６）  上記ファスナは、二部分ファスナであり、該ファスナの第１の部分は、上記フラップに取り付けられ、該ファスナの第２の部分は、上記グリップに隣接して上記ラップに取り付けられ、該グリップは、該グリップ上に該フラップを覆うことなしに、該ファスナの該第１の部分が該ファスナの該第２の部分に締め付けられることを可能にする、上記項目のいずれかに記載の圧迫ガーメント。
（項目７）  上記フラップは、第１のフラップであり、上記ガーメントは、該第１のフラップから第１の距離分、遠位に間隔を空けられた第２のフラップと、該第２のフラップから第２の距離分、遠位に間隔を空けられた第３のフラップとをさらに含み、
上記ファスナは、第１のファスナであり、該ガーメントは、第２のファスナと第３のファスナとをさらに含み、該第２のファスナの少なくとも一部分が、該第２のフラップに取り付けられ、該第３のファスナの少なくとも一部分が、該第３のフラップに取り付けられている、上記項目のいずれかに記載の圧迫ガーメント。
（項目８）  上記グリップは、第１のグリップであり、上記ガーメントは、該第１のグリップから第１の距離分、遠位に間隔を空けられた第２のグリップと、該第２のグリップから第２の距離分、遠位に間隔を空けられた第３のグリップとをさらに含む、上記項目のいずれかに記載の圧迫ガーメント。
（項目９）  体の一部分に対する圧迫治療を提供するために、該体の一部分上に配置するために適合された圧迫ガーメントであって、該圧迫ガーメントは、
該体の一部分の近位部分の周りを巻くための大きさを有する近位端と、該近位端の反対側の、該体の一部分の遠位部分の周りを巻くための遠位端と、該近位端と該遠位端との間に延在する横側部エッジとを有する柔軟なラップと、
該体の一部分を圧迫するために、該ラップによって保持される嚢であって、該嚢は、膨張可能なチャンバと、該チャンバと流体連結しているポートとを有し、該ポートは、該チャンバを膨張させて、該体の一部分を圧迫するために、流体ソースから該チャンバに流体を選択的に送達する、嚢と、
フラップを規定する該側部エッジのうちの少なくとも１つであって、該フラップは、自己保持構成において該体の一部分上にラップを保持するための自由端を有し、該自己保持構成において、該近位端が、該体の一部分の該近位部分の周りに巻かれ、該遠位端が、該体の一部分の該遠位部分の周りに巻かれ、該横側部エッジが、該近位端と該遠位端との間において該体の一部分に沿って概ね長手方向に延在する、該側部エッジのうちの少なくとも１つと、
該ラップ上のファスナであって、該ラップ上のファスナは、該自己保持構成において該体の一部分上に該ラップを保持するために、該圧迫ガーメント上に該フラップの該自由端を固定する、該ラップ上のファスナと、
該フラップの反対側の該ラップの該側部エッジに隣接する該ラップの縁において該ラップを完全に通って延在する孔であって、該孔は、該体の一部分上に該ラップを保持するために、該体の一部分の周りに該ラップを巻き、該フラップを締め付ける場合に、それぞれの側部エッジを握るためにユーザーの指を受け取るための大きさおよび形状を有する、孔と
を含む、圧迫ガーメント。
（項目１０）  上記孔は、第１の孔であり、
上記ガーメントは、上記体の一部分上に上記ラップを保持するために、ユーザーの指を受け取るための大きさおよび形状を有する第２の孔を含み、
該第１の孔および該第２の孔は、上記フラップに対して長手方向にオフセットされ、かつ、該第１の孔と該第２の孔との間に該フラップを受け取るために、十分な距離分、互いから間隔を空けられている、上記項目のいずれかに記載の圧迫ガーメント。
（項目１１）  上記ファスナの少なくとも一部分が、上記フラップに取り付けられている、上記項目のいずれかに記載の圧迫ガーメント。
（項目１２）  上記ファスナは、二部分ファスナであり、該ファスナの第１の部分は、上記フラップに取り付けられ、該ファスナの第２の部分は、上記孔に隣接して上記ラップに取り付けられ、該孔は、該ファスナの該第１の部分が、該ファスナの該第２の部分に締め付けられることを可能にする、上記項目のいずれかに記載の圧迫ガーメント。
（項目１３）  体の一部分に対する圧迫治療を提供するために、該体の一部分上に圧迫ガーメントを配置する方法であって、該圧迫ガーメントは、膨張可能なチャンバと、ポートとを有する嚢を含み、該ポートは、該膨張可能なチャンバとの流体連結を提供し、該方法は、
該圧迫ガーメントの第１の側部の縁が該圧迫ガーメントの第２の側部の縁と重なるように、該体の一部分の周りに該圧迫ガーメントを巻くことと、
該第２の側部の縁を握るために、該第２の側部の縁の第１の開口部内に第１の指を挿入することと、
該体の一部分の周りに該圧迫ガーメントを締め付けるために、該第１の側部の縁を握っている間に、該第１の側部の縁と該第２の側部の縁とのうちの少なくとも１つを引っ張ることと、
該体の一部分の周りに該締め付けられた圧迫ガーメントを固定することと
を含む、方法。
（項目１４）  上記巻くステップは、上記第１の側部の縁によって規定されるフラップを上記第２の側部の縁上に覆うことを含み、
上記引っ張るステップは、上記体の一部分の周りに上記圧迫ガーメントを締め付けるために、該１の側部の縁を握る間に、該第２の側部の縁を横切って該フラップを引っ張ることを含む、上記項目のいずれかに記載の方法。
（項目１５）  上記第２の側部の縁を握るために、第２の開口部内に第２の指を挿入することをさらに含み、上記引っ張るステップは、上記第１指と該第２の指とがそれぞれの開口部内に挿入されている場合に、該第１指と該第２の指との間に上記フラップを引っ張ることを含む、上記項目のいずれかに記載の方法。
【００１０】
（摘要）
体の一部分に対する圧迫治療を提供するための圧迫ガーメント。ガーメントは、柔軟なラップと、体の一部分を圧迫するために、ラップによって保持される嚢とを含む。ガーメントはまた、自己保持構成において体の一部分上にラップを保持するためのファスナを含む。グリップが、体の一部分上にラップを締め付けることを容易にするために提供される。一実施形態において、グリップは、ユーザーの指を受け取るための大きさおよび形状を有するラップの開口部を含む。
【図面の簡単な説明】
【００１１】
【図１】図１は、開放の、巻かれていない構成に示される本発明の圧迫ガーメントの概略的正面図である。
【図２】図２は、圧迫ガーメントの背面図である。
【図３】図３は、巻かれた構成における圧迫ガーメントの概略的側面透視図である。
【図４】図４は、重ねられた構成における圧迫ガーメントのフラップの概略的部分正面図である。
【発明を実施するための形態】
【００１２】
対応する参照文字は、図面を通して対応する部分を示す。
【００１３】
（詳細な説明）
図面を参照して、特に図１〜３を参照すると、着用者の体の一部分に圧迫治療を適用するための圧迫ガーメントは、一般的に参照番号２０で示される。圧迫ガーメント２０は、体の一部分（例えば、足または腕）上に配置するために適合される。例示された圧迫ガーメント２０は、足の上に配置するために適合される。圧迫ガーメント２０は、体の一部分への一定または断続的な圧迫のような圧迫治療を提供するために使われ得る。
【００１４】
圧迫ガーメント２０は、一般的に２４で示される柔軟なラップと、３つの嚢２６Ａ〜２６Ｃとを含む。ラップ２４は、ラップが自己保持構成である（図３）間に、足を圧迫するための嚢２６Ａ〜２６Ｃを保持するために構成される。ラップ２４は、足の近位部分の周りを巻くための大きさを有する近位末端部２４Ａと、近位末端部の反対側の足の遠位部分の周りを巻くための遠位末端部２４Ｂと、近位末端部と遠位末端部との間に延在する横側部エッジ２４Ｃ、２４Ｄとを有する。
【００１５】
例示された圧迫ガーメント２０は、「腿まで」の大きさを有し、すなわち、圧迫ガーメントは、概ね足根関節から大腿まで延在する。嚢２６Ａ〜２６Ｃは、従来の膨張可能なチャンバと、チャンバと流体連結しているポートとを含み、ポートは、チャンバを膨張させ、そして足を圧迫するために、流体ソースからチャンバまで流体を選択的に送り出す。嚢２６Ａ〜２６Ｃは、概ね足の裏側、より具体的に、それぞれ足根関節、下腿および大腿の裏側上にあるようにラップ２４上に位置決定される。３つの嚢２６Ａ〜２６Ｃは、足に沿って連続的にあるように配列される。他の大きさおよび形状のガーメント２０（例えば、概ね足根関節から膝以下まで延在する「膝まで」のガーメント、または嚢２６Ａ〜２６Ｃの異なる構成（例えば、１つ、２つ、または３つ以上の嚢）を有するガーメント）は、本発明の範囲内にある。
【００１６】
圧迫ガーメント２０は、足上の所望の圧迫帯域上に嚢２６Ａ〜２６Ｃを位置決定し、足の周りに圧迫ガーメントを巻くことよって足上に自己保持構成で配置され得、それにより、側部エッジ２４Ｃ、２４Ｄまたは圧迫ガーメントの側部の縁が互いに重ねる。自己保持構成において、近位末端部２４Ａは、足の近位部分の周りに巻かれ、遠位末端部２４Ｂは、足の遠位部分の周りに巻かれ、横側部エッジ２４Ｃ、２４Ｄは、近位末端部と遠位末端部との間に、足に沿って概ね長手方向に延在する。嚢２６Ａ〜２６Ｃが加圧されるときに足が圧迫されるような、概ね窮屈またはぴったりの適合が望ましい。例示された実施形態において、側部エッジ２４Ｃ、２４Ｄは、互いに間隔を空けられる、３セットの対応するフラップ２２Ａ、２２Ｂを規定する。フラップ２２Ａ、２２Ｂは、足の周りに圧迫ガーメントを締め付け、かつ固定することを容易にする。圧迫ガーメント２０は、圧迫ガーメントの両側の縁を引っ張り、そして重ねることによって足の周りに締め付けられる。例示された実施形態において、各フラップ２２Ｂは、それぞれのフラップ２２Ａで重ねられる。従って、フラップ２２Ａおよびフラップ２２Ｂは、それぞれ、外側フラップおよび内側フラップと呼ばれ得る。フラップの他の構成は、本発明の範囲内にあるように予想される。例えば、ガーメントは、より少ないフラップ、またはより多いフラップを含み得、フラップ２２Ｂは、外側フラップ２２Ａが、側部エッジ２４Ｄに対応する側部の縁と重ねるように省略され得る。
【００１７】
図３および図４を参照すると、ラップ２４上のファスナ３０が、フラップ２２Ａの自由端を圧迫ガーメント２０上に固定するために使われる。例示された実施形態において、ファスナ３０は、フラップ２２Ａの自由端上のフック織物３０Ａを含む。ファスナ３０はまた、フラップ２２Ｂの外側表面上のループ織物３０Ｂを含む。従って、ファスナ３０は、二部分ファスナである。他のタイプのファスナは、本発明の範囲から離れることなしに使われ得る。
【００１８】
図１および図２に示されるように、圧迫ガーメント２０は、一般的に４０で示されるグリップを含み、グリップ４０は、足の周りにラップ２４を巻き、そして足上にラップを保持するために、フラップ２２Ａを締め付けるときに、それぞれの側部エッジ２４Ｃを握るために、フラップ２２Ａの反対側の側部エッジ２４Ｃの上に形成される。図３および図４を参照すると、各グリップ４０は、２つの開口部を含み、より具体的に、足上の場所にラップを保持するために、ユーザーの指を受け取るための大きさおよび形状を有し、ラップを完全に通って延在する１対の孔４０Ａ、４０Ｂを含む。孔４０Ａ、４０Ｂは、フラップ２２Ａの反対側のフラップ２２Ｂ上またはラップ２４Ｃの側部エッジに隣接するラップの側部の縁上に位置決定される。孔４０Ａ、４０Ｂは、フラップ２２Ａから長手方向にオフセットされ、それぞれの孔４０Ａ、４０Ｂ上にフラップ２２Ａを覆うことなしに、フラップ２２Ａが、グリップを有する側部エッジ２４Ｃ上に締め付けられることを可能にする。孔４０Ａ、４０Ｂは、孔の間にフラップ２２Ａを受け取るために、十分な距離分、互いから間隔を空けられる。従って、グリップ４０は、ラップ２４の締め付けを容易にするために、そしてフラップ２２Ａが締め付けられるときに適所にフラップ２２Ｂを保持することを容易にするために位置決定される。従って、グリップ４０は、フラップ２２Ａがフラップ２２Ｂと重なり、そしてフラップ２２Ｂに締め付けられる場合に利用可能である。他のタイプのグリップは、本発明の範囲内にある。例えば、グリップは、より多い開口部またはより少ない開口部を含み得、使われ得るガーメントを完全に通過しない開口部を含み得る。さらに、グリップが、図面に例示されるグリップと異なる形状を有する特徴を含み得ることが予想される。
【００１９】
圧迫ガーメント２０は、当技術分野において公知のさまざまな方法で構成され得る。一構成において、ガーメント２０は、嚢２６Ａ〜２６Ｃを形成するために、嚢ラインと一緒に溶接される概ね柔軟で、流体不浸透性の材料（例えば、ＰＶＣ）の向かい合う内側シートおよび外側シートから形成される。代替的に、嚢２６Ａ〜２６Ｃは、別々に形成され得、そして圧迫ガーメント２０に取り付けられ得る。
【００２０】
図２に示されるように、圧迫ガーメント２０は、加圧器５０を含み得、加圧器５０は、嚢を膨張させるために、例えば、導管５２によって、嚢２６Ａ〜２６Ｃのポートに動作的に接続可能である。例示された加圧器５０が、圧迫ガーメント２０に取り付けされる。加圧器が、圧迫ガーメント上に取り外し可能に取り付けられ、かつ圧迫ガーメント上の嚢に動作的に接続される構成が、米国特許出願１２／２４１，６７０および１２／２４１，９３６においてより詳細に開示される。上記両方の出願は、Ｔｙｃｏ  Ｈｅａｌｔｈｃａｒｅ  Ｇｒｏｕｐ  ＬＰに譲渡され、そして全体として参照することによって組み込まれる。例えば、加圧器５０が、圧迫ガーメント２０に取り付けられるために構成されていない他の実施形態は、本発明の範囲内にあると想定される。
【００２１】
加圧器５０は、膨張および通気段階を含み得るさまざまな圧迫レジメンを実行するためにプログラム化され得る。いくつかのレジメンにおいて、加圧器は、長期間で１つ以上の嚢２６Ａ〜２６Ｃを一定の圧力へ加圧し得る。加圧器５０はまた、断続的または周期的に嚢２６Ａ〜２６Ｃを加圧し得る。他のタイプの圧迫レジメンは、本発明の範囲内にある。
【００２２】
使用の一連作業において、圧迫ガーメント２０は、所望の目標圧迫帯域を覆いまたは所望の目標圧迫帯域上にある嚢２６Ａ〜２６Ｃと共に、足のような体の一部分上に配置される。側部エッジ２４Ｃ、２４Ｄに隣接するラップの側部の縁が、互いに重なるように、ラップ２４が、体の一部分の周りに巻かれる。人は、フラップ２２Ｂを握るために、指（例えば、親指および人差し指）をそれぞれの孔４０Ａ、４０Ｂ内に挿入することによってグリップ４０を使用する。指孔４０Ａ、４０Ｂを用いてフラップ２２Ｂを握るが、側部の縁のうちの少なくとも１つ、特にフラップ２２Ａ、２２Ｂのうちの一方は、足の周りに圧迫ガーメントを締め付けるために、側部の縁の他方に対して移動される。フラップ２２Ａは、開口部４０Ａ、４０Ｂ内に挿入される指の間に引っ張られ、ファスナ３０を用いてフラップ２２Ｂの外側表面に締め付けられる。これらのステップが、対応するフラップ２２Ａ、２２Ｂの各セットに対して繰り返される。従って、グリップ４０は、フラップ２２Ａがフラップ２２Ｂの外側表面に締め付けられる間に、足上に圧迫ガーメント２０を締め付け、かつ適所にフラップ２２Ｂを保持することを容易にする。締め付けられた圧迫ガーメント２０は、結果として向上された圧迫治療のための向上された適合を生じる。
【００２３】
本発明を詳細に説明したが、改変および変形が、添付の請求項において規定される本発明の範囲から離れることなしに可能であることは、明白である。
【００２４】
本発明または本発明の好ましい実施形態の構成要素を紹介するとき、「ａ」、「ａｎ」、「ｔｈｅ」、および「ｓａｉｄ」は、構成要素のうちの１つ以上があることを意味するように意図される。用語「ｃｏｍｐｒｉｓｉｎｇ」、「ｉｎｃｌｕｄｉｎｇ」および「ｈａｖｉｎｇ」は、リストされた構成要素以外に追加の構成要素があり得ることを含み、そして意味するように意図される。
【００２５】
以上を考慮して、本発明のいくつかの対象が達成され、そして他の有利の結果が達成されることが理解される。
【００２６】
さまざまな変更は、本発明の範囲から離れることなしに、上記構造および方法に加えられ得、上記説明に含まれ、かつ添付の図面に示される全部の事項が、例示であり、限定した意味ではないと解釈されるべきである。
【符号の説明】
【００２７】
２０  圧迫ガーメント
２２Ａ、２２Ｂ  フラップ
２４Ａ  近位端
２４Ｂ  遠位端
２４Ｃ、２４Ｄ  横側部エッジ
２６Ａ、２６Ｂ、２６Ｃ  嚢
３０Ａ  フック織物
４０  グリップ
【図１】
2012071130.tif 000003
【図２】
2012071130.tif 000004
【図３】
2012071130.tif 000005
【図４】
2012071130.tif 000006